(57)【要約】【課題】撹拌槽からの材料の飛散を防止することができる材料飛散防止用カバーを提供する。【解決手段】材料飛散防止用カバー１０は、外部に向かって開口した撹拌槽の内部で撹拌される材料が当該開口から撹拌槽の外部に飛散しないように、当該開口の少なくとも一部を塞ぐ本体部１を備える。本体部１は、透明である、こととしてもよい。【選択図】図１
2019059060.tif 000002
【特許請求の範囲】
【請求項１】
外部に向かって開口した撹拌槽の内部で撹拌される材料が前記開口から前記撹拌槽の外部に飛散しないように、前記開口の少なくとも一部を塞ぐ本体部を備える、
材料飛散防止用カバー。
【請求項２】
前記本体部は、
透明である、
請求項１に記載の材料飛散防止用カバー。
【請求項３】
前記本体部は、
前記撹拌槽の側から反対側に向かって貫通した開口部を備え、
前記開口における前記開口部を除いた部分を塞ぐ、
請求項１又は２に記載の材料飛散防止用カバー。
【発明の詳細な説明】
【技術分野】
【０００１】
本発明は、材料飛散防止用カバーに関する。
【背景技術】
【０００２】
住宅等の建築現場では、建築資材又は左官材料としてモルタルの他、漆喰及び珪藻土等が使用される。モルタル、漆喰及び珪藻土等は、建築現場において材料を撹拌することで準備される。モルタルの材料は、セメント、骨材及び水である。当該骨材としては、一般には砂が使用されているが、軽量骨材が使用されることがある。軽量骨材は、その比重が比較的小さく、天然及び人工の軽量骨材が知られている。
【０００３】
天然の軽量骨材は主として火山の噴火に伴って噴出した軽石又は火山礫等である。人工の軽量骨材には、頁岩を高温で焼いて膨張させたもの、フライアッシュを造粒して焼成したもの、及び蛭石を加熱膨張させたもの等である。また、耐震性、防音性及び断熱性に優れる軽量骨材として、粉砕したエチレン酢酸ビニル共重合体（ＥＶＡ）及び粉砕した発泡スチロールが利用されている。
【０００４】
上記の材料の撹拌には、ミキサーが用いられる。例えば特許文献１に示されるように、ミキサーは、外部に向かって上端が開口した筒状の撹拌槽と、撹拌槽の底部に撹拌用の羽根状部材と、を備える。当該ミキサーには、開口した上端から材料が撹拌槽に投入される。
【先行技術文献】
【特許文献】
【０００５】
【特許文献１】実公平７−５１２８４号公報
【発明の概要】
【発明が解決しようとする課題】
【０００６】
上述のセメント、軽量骨材、漆喰及び珪藻土等の材料は、比重が比較的小さいため、当該材料を撹拌槽に投入する際、あるいは、当該材料を撹拌槽に投入後にその他の材料を投入する際に、開口から撹拌槽の外部に飛散してしまうことがある。
【０００７】
特許文献１には、ミキサー用の安全カバーが開示されている。しかし、当該カバーは、ミキサー作動時に作業者が撹拌槽に手を入れてしまい、羽根状部材により怪我を負う等の事故を防止するとの観点から、所定の間隔で配置された線材で構成されている。このため、材料が開口から外部に飛散することを防止できない。
【０００８】
本発明は、上記実情に鑑みてなされたものであり、撹拌槽からの材料の飛散を防止することができる材料飛散防止用カバーを提供することを目的とする。
【課題を解決するための手段】
【０００９】
本発明の第１の観点に係る材料飛散防止用カバーは、
外部に向かって開口した撹拌槽の内部で撹拌される材料が前記開口から前記撹拌槽の外部に飛散しないように、前記開口の少なくとも一部を塞ぐ本体部を備える。
【００１０】
この場合、前記本体部は、
透明である、
こととしてもよい。
【００１１】
また、前記本体部は、
前記撹拌槽の側から反対側に向かって貫通した開口部を備え、
前記開口における前記開口部を除いた部分を塞ぐ、
こととしてもよい。
【発明の効果】
【００１２】
本発明によれば、撹拌槽からの材料の飛散を防止することができる。
【図面の簡単な説明】
【００１３】
【図１】実施の形態に係る材料飛散防止用カバーの平面図を示す図である。
【図２】図１に示す材料飛散防止用カバーの側面図を示す図である。
【図３】図１に示す材料飛散防止用カバーの正面図を示す図である。
【図４】ミキサーの構成を示す図である。
【図５】図１に示す材料飛散防止用カバーの使用態様を例示する図である。
【発明を実施するための形態】
【００１４】
本発明に係る実施の形態について説明する。なお、本発明は下記の実施の形態によって限定されるものではない。
【００１５】
本実施の形態に係る材料飛散防止用カバー１０は、外部に向かって開口した撹拌槽に使用される。材料飛散防止用カバー１０は、本体部１を備える。図１は、本体部１の表（オモテ）面側から見た平面図を示す。本体部１は、平面視で円の形状である。本体部１は、無色で、かつ透明である。本体部１は、ポリエチレンテレフタラート（ＰＥＴ）で形成される。本体部１は、表面から裏面に貫通する開口部２を有する。
【００１６】
図２及び図３は、それぞれ図１のＡ及びＢの方向から見た材料飛散防止用カバー１０の外観を示す。本体部１は、平面視における円の中心が最も高く、周囲に向かって次第に高さが低くなっている。
【００１７】
図４は、材料飛散防止用カバー１０に好適なミキサー１００を示す。ミキサー１００は、撹拌槽１１と、羽根状部材１２と、を備える。撹拌槽１１は、筒状で、外部に向かって上端が開口している。撹拌槽１１の底部には、羽根状部材１２が配置されている。羽根状部材１２は、撹拌槽１１の中心を軸に撹拌槽１１の内周に沿って回転する。羽根状部材１２の回転によって、撹拌槽１１の開口から投入された材料が撹拌槽１１の内部で撹拌される。
【００１８】
ここで、材料飛散防止用カバー１０の使用態様について説明する。図５は、撹拌槽１１の一部と、撹拌槽１１に設置される材料飛散防止用カバー１０とを示す。本体部１は、撹拌槽１１の上部の開口に載置され、撹拌槽１１によって支持される。これにより、本体部１は、外部に向かって開口した撹拌槽１１の内部で撹拌される材料が開口から撹拌槽１１の外部に飛散しないように、撹拌槽１１の開口の少なくとも一部を塞ぐ。より詳細には、本体部１は、撹拌槽１１の側（裏面）から反対側（表面）に向かって貫通した開口部２を備えるため、撹拌槽１１の開口の、開口部２を除いた部分を塞ぐ。
【００１９】
以上詳細に説明したように、材料飛散防止用カバー１０は、撹拌槽１１の開口の少なくとも一部を塞ぐため、撹拌槽１１からの材料の飛散を防止することができる。外部に飛散しやすい材料は、特には、セメント、軽量骨材、漆喰及び珪藻土等である。特に材料として軽量骨材が撹拌槽１１に投入される場合、撹拌槽１１の外部に飛散しやすい軽量骨材の飛散を効果的に防ぐことができる。こうすることで、使用者による材料等の粉塵の誤吸引を抑制することができる。なお、軽量骨材とは、比重が０．２以下の骨材をいい、例えば、ＥＶＡ粉砕物及び発泡スチロール粉砕物等である。
【００２０】
なお、本体部１の大きさは、撹拌槽１１の開口の大きさを考慮して決定される。撹拌槽１１の開口の内径が、７１０ｍｍの場合、例えば、本体部１の直径は７５０ｍｍで、高さは９３ｍｍである。また、撹拌槽１１の開口の内径が、７８０ｍｍの場合、本体部１の直径は８６０ｍｍで、高さは７５ｍｍである。
【００２１】
また、本実施の形態では、本体部１は、透明であることとした。こうすることで、材料飛散防止用カバー１０を撹拌槽１１に載置した状態で、撹拌槽１１の内部を視認することができる。このため、材料飛散防止用カバー１０を撹拌槽１１に載置したままで撹拌槽１１の内部での材料の撹拌状態を確認することができる。なお、上記実施の形態では、本体部１が無色で透明であるとしたが、これに限らない。本体部１は、有色透明であってもよいし、透明でなくてもよい。
【００２２】
なお、本実施の形態では、本体部１をＰＥＴで形成することとしたが、本体部１はＰＥＴに限らず、その他の合成樹脂及び複合材料等の任意の素材から形成されてもよい。
【００２３】
また、本実施の形態では、本体部１は、開口部２を備えることとした。こうすることで、材料飛散防止用カバー１０を撹拌槽１１に載置した状態で、撹拌槽１１の内部に材料を投入することできる。特に軽量骨材を撹拌槽１１に投入後にその他の材料を投入する際に、軽量骨材の外部への飛散を防ぐことができる。なお、本体部１が開口部２を備える場合、撹拌槽１１の開口全体の面積において、開口部２を除いた本体部１が塞ぐ部分の面積は、３０〜９９％、４０〜９９％、５０〜９９％、６０〜９９％、７０〜９９％、８０〜９９％又は９０〜９９％であってもよい。
【００２４】
なお、本体部１は、開口部２を備えてなくてもよい。本体部１に開口部２を設けない場合、本体部１は、撹拌槽１１の開口のすべてを塞ぐことができるので、撹拌槽１１からの材料の飛散をより防ぐことができる。また、開口部２は、開閉可能にしてもよい。こうすることで、材料を撹拌槽１１に投入する際に開口部２を開ければよいので、利便性が高い。また、必要に応じて開口部２を閉じることができるので、撹拌槽１１からの材料の飛散を防ぐことができる。
【００２５】
なお、材料飛散防止用カバー１０は、本体部１を撹拌槽１１に固定する固定具を備えてもよい。例えば、固定具は、一端が本体部１の外縁に固定され、他端が撹拌槽１１の外周面に固定される。こうすることで、材料飛散防止用カバー１０の落下等を避けることができる。また、本体部１の撹拌槽１１の側の面、すなわち裏面は、微粒子等の粉末の付着を軽減するように加工されてもよい。粉末の付着軽減の加工は、例えば、静電気による粉末の付着を防ぐための公知の静電気除去加工である。
【００２６】
上述した実施の形態は、本発明を説明するためのものであり、本発明の範囲を限定するものではない。すなわち、本発明の範囲は、実施の形態ではなく、特許請求の範囲によって示される。そして、特許請求の範囲内及びそれと同等の発明の意義の範囲内で施される様々な変形が、本発明の範囲内とみなされる。
【符号の説明】
【００２７】
１  本体部、２  開口部、１０  材料飛散防止用カバー、１１  撹拌槽、１２  羽根状部材、１００  ミキサー
【図１】
2019059060.tif 000003
【図２】
2019059060.tif 000004
【図３】
2019059060.tif 000005
【図４】
2019059060.tif 000006
【図５】
2019059060.tif 000007